(57)【要約】      （修正有）【課題】冬季等において、女性の種々のヘアスタイルにも対応して耳を寒さから保護することができるニット帽子を提供する。【解決手段】前頭部及び頭頂部から左右の側頭部を覆う被覆部２と、被覆部２の左右各端部に一体に縫製された左右の耳当て部３と、左右の耳当て部３に一体に縫製された係止部４とからニット帽子１が構成される。そして、被覆部２及び耳当て部３を介して頭部及び耳を覆った状態で係止部４を、ヘアスタイル等に合わせて顎又は後頭部に選択的に係止する。【選択図】図１
0003169375.tif 000002
【実用新案登録請求の範囲】
【請求項１】
前頭部及び頭頂部から左右の側頭部を覆う被覆部と、被覆部の左右各端部に一体に縫製された左右の耳当て部と、左右の耳当て部に一体に縫製された係止部とからなり、被覆部及び耳当て部が頭部及び耳を覆った状態で係止部を顎又は後頭部に選択的に係止することを特徴とするニット帽子。
【請求項２】
請求項１に記載のニット帽子において、前記各耳当て部が花状の装飾部を備えることを特徴とするニット帽子。
【考案の詳細な説明】
【技術分野】
【０００１】
この考案は、ニット帽子に関するものである。
【背景技術】
【０００２】
一般に、帽子は、頭部に被ることにより、頭部を保護する機能を備えている。そして、帽子は、メーカーにおいて、色柄模様、デザイン、素材などを組み合わせて製造され、ユーザーは、多種多様な帽子のなかから嗜好や服装、季節などに適合した特定の帽子を選択し、購入している。
【０００３】
一方、帽子に耳当てを設け、冬季等において、耳を寒さから保護する防寒帽が提案されている（例えば、特許文献１，２参照）。
【先行技術文献】
【特許文献】
【０００４】
【特許文献１】特開平１１−２２９２２３号公報
【特許文献２】実開昭６３−１６２８２２号公報
【考案の概要】
【考案が解決しようとする課題】
【０００５】
ところで、前述した防寒帽は、耳を寒さから保護するという実用本位で製造されており、女性を購入者として意識したものではない。例えば、女性が自ら着用するために購入する帽子としては、前述したように、実用以外の観点、例えば、デザイン等も必要になるとともに、男性に比較して豊富な種々のヘアスタイルにも対応する必要がある。
【０００６】
本考案は、このような問題点に鑑みてなされたもので、冬季等において、女性の種々のヘアスタイルにも対応して耳を寒さから保護することのできるニット帽子を提供するものである。
【課題を解決するための手段】
【０００７】
本考案は、前頭部及び頭頂部から左右の側頭部を覆う被覆部と、被覆部の左右各端部に一体に縫製された左右の耳当て部と、左右の耳当て部に一体に縫製された係止部とからなり、被覆部及び耳当て部が頭部及び耳を覆った状態で係止部を顎又は後頭部に選択的に係止することを特徴とするものである。
【０００８】
本考案によれば、被覆部によって前頭部及び頭頂部から左右の側頭部を覆うとともに、左右の耳当て部によって左右の耳をそれぞれ覆うことができ、従来の防寒帽とは異なるデザインを有して、冬季等において、耳を寒さから保護することができる。また、係止部を顎又は後頭部に選択的に係止することができ、ヘアスタイル等に基づいて係止位置を選択することが可能となる。
【０００９】
本考案において、前記各耳当て部が花状の装飾部を備えることが好ましい。これにより、耳当て部を装飾することができ、ファッション性を高めることができる。
【考案の効果】
【００１０】
本考案によれば、冬季等において、女性の種々のヘアスタイルにも対応して耳を寒さから保護することができる。
【図面の簡単な説明】
【００１１】
【図１】本考案のニット帽子の一実施形態を示す斜視図である。
【図２】図１のニット帽子の着用状態を説明する斜視図である。
【図３】図１のニット帽子の他の着用状態を説明する斜視図である。
【考案を実施するための形態】
【００１２】
以下、本考案の実施の形態を図面に基づいて説明する。
【００１３】
図１には、本考案のニット帽子１の一実施形態が示されている。
【００１４】
このニット帽子１は、頭部を覆う被覆部２と、被覆部２の左右各端部にそれぞれ一体に縫製されて耳を保護する左右の耳当て部３と、左右の耳当て部３に一体に縫製された係止部４とから構成されている。
【００１５】
被覆部２は、前頭部から頭頂部にかけて覆うことができる前後方向の長さを有するとともに、頭頂部から左右の側頭部にわたる左右方向の長さを有する略方形状毛糸編物であって、ゴム編みによって前後方向が伸縮自在となっている。
【００１６】
各耳当て部３は、耳を覆う大きさの２枚の円形状毛糸編物の周縁部を綴じ合わせて形成された耳当て本体３１と、耳当て本体３１の外面に縫製され、耳当て本体３１を覆う大きさの花状毛糸編物からなる装飾部３２とから形成されている。
【００１７】
ここで、耳当て部３を構成する耳当て本体３１の２枚の円形状毛糸編物を綴じ合わせる際、前後方向を若干絞った状態の被覆部２の左右各端部を２枚の円形状毛糸編物の間に挟み込んで一体に縫製している。
【００１８】
係止部４は、バンド４１と、バンド４１内に配設されてその略中間部から引き出された一対のゴム紐４２とから構成されており、一対のゴム紐４２には、バンド４１からの引出し量を規制するストッパ４３が移動自在に設けられている。
【００１９】
ここで、バンド４１は、耳下から下顎を回る長さを有する方形状毛糸編物の両側端部を綴じ合わせて筒状に形成したものであり、ゴム編みによって長手方向が伸縮自在となっている。そして、前述したように、耳当て部３を構成する耳当て本体３１の２枚の円形状毛糸編物を綴じ合わせる際、内部に挿通したゴム紐４２の先端部とともにバンド４１の左右各端部を２枚の円形状毛糸編物の間に挟み込んで一体に縫製している。
【００２０】
なお、ニット帽子１を構成する被覆部２、耳当て部３の耳当て本体３１及び装飾部３２、係止部４のバンド４１は、同色の毛糸によって編まれている。
【００２１】
このようなニット帽子１は、これまでの男性用のイメージの強い防寒帽と比較して斬新なデザインを有するとともに、防寒機能も備えている。すなわち、ニット帽子１は、防寒帽とは異なる頭部を覆う被覆部２とともに、耳を覆う耳当て部３を備えることにより、冬季等において、着用した女性の耳を寒さから保護することができる。しかも、耳当て部３は花状毛糸編物からなる装飾部３２を有することにより、ファッション性を高めることができる。また、左右の耳当て部３にわたって設けられた係止部４は、顎又は後頭部に係止することが可能であり、例えば、ヘアスタイルの他、服装や気分、環境等に対応して合わせることができ、着用時に異なる印象を与えることが可能となる。したがって、耳当てを帽子本体と一体に編んだ市販のニット帽子とも異なるものとなっている。
【００２２】
このように構成されたニット帽子１を頭部に着用するに際しては、例えば、ショートヘアの女性の場合においては、図２に示すように、左右の耳当て部３を把握した状態で、被覆部２を前頭部から頭頂部にかけて被せた後、被覆部２の左右端部が左右の側頭部を覆うようにして各耳当て部３をそれぞれ左右の耳にあてがい、次いで、係止部４を顎紐として顎に係止すればよいものである。この場合、係止部４の長さは、ゴム紐４２の引出し量を調整した後、ストッパ４３を係止部４のバンド本体４１に接触する位置までゴム紐４２に沿って引き上げ、ゴム紐４２の弛みを吸収する。
【００２３】
一方、ロングヘアの女性の場合においては、図３に示すように、係止部４を把握するとともに、髪を束ねた状態で被覆部２、耳当て部３及び係止部４によって形成された空間を挿通させ、係止部４を後頭部に係止させる。次いで、左右の耳当て部３を把握し、被覆部２を前頭部から頭頂部にかけて被せた後、被覆部２の左右端部が左右の側頭部を覆うようにして各耳当て部３をそれぞれ左右の耳にあてがえばよいものである。
【００２４】
なお、係止部４をヘアスタイルに関係なく顎又は後頭部に任意に係止してもよいことは勿論である。
【符号の説明】
【００２５】
１  ニット帽子
２  被覆部
３  耳当て部
３１  耳当て本体
３２  装飾部
４  係止部
【図１】
0003169375.tif 000003
【図２】
0003169375.tif 000004
【図３】
0003169375.tif 000005